(57)【特許請求の範囲】
【請求項１】
商品収納ラックの商品搬出通路下端部に配設された基板と、前記基板の開口部から突出自在に形成され、前記商品搬出通路内に収納された下から１番目の商品を保持する下ペダルと、前記基板の開口部から突出自在に形成され、前記商品搬出通路内に収納された下から２番目の商品を保持する上ペダルと、前記基板の開口部から前記商品搬出通路側に突出するよう付勢された売切検知アクチュエータとからなる商品搬出装置と、
前記商品搬出装置と対向して配置され、商品径に応じて前記商品搬出通路幅を調節する通路幅規制板と、
を備えた自動販売機の商品搬出通路幅調節装置において、
前記通路幅規制板には、前記商品搬出通路内に収納された下から２番目の商品を前記上ペダルから遠ざけるように当該商品搬出通路幅を規制する傾斜段部を設け、
前記商品搬出装置には、前記通路幅規制板の傾斜段部側に前記下から２番目の商品を案内し前記上ペダルの回動スペースを確保する傾斜段部を有した商品位置規制スペーサを着脱自在に設け、
前記商品位置規制スペーサは前記売切検知アクチュエータを商品搬出通路側に突出させるとともに前記売切検知アクチュエータと当接して当該売切検知アクチュエータが後退するのを防止するブリッジ部を有する開口部を形成してなることを特徴とする自動販売機の商品搬出通路幅調節装置。
【請求項２】
商品位置規制スペーサは、商品搬出装置の基板に設けた係止溝に係止される係止爪を下端部に備え、前記基板の上面にねじ止めされる係止片を上端部に備えたことを特徴とする請求項１に記載の自動販売機の商品搬出通路幅調節装置。
【請求項３】
商品位置規制スペーサは、商品搬出装置の基板に設けた係止溝に係止される係止爪を下端部に備え、ラック側板に架設されたピンに係止する係止爪を上端部に備えたことを特徴とする請求項１に記載の自動販売機の商品搬出通路幅調節装置。
【発明の詳細な説明】
【０００１】
【発明の属する技術分野】
この発明は、自動販売機の商品搬出通路幅調節装置に関し、さらに詳しくは、小径商品の販売時であっても、商品搬出装置の上ペダルの回動スペースを容易に確保でき、商品詰まりを確実に防止できる自動販売機の商品搬出通路幅調節装置に関する。
【０００２】
【従来の技術】
周知のように、サーペンタイン式商品収納ラックの蛇行状商品通路の下端部には、商品搬出装置と通路幅規制板とが対向配置され、これらによって商品搬出通路が形成されている。これら商品搬出装置と通路幅規制板は、ラック側板に架設されたピンによって係止されている。通路幅規制板を係止するピンは、ラック側板に設けられた溝に沿って移動可能に支持されており、このピン位置を変化させることで通路幅規制板の配設位置を変更し、商品径に応じた商品搬出通路幅を設定できるようになっている。
【０００３】
なお、通路幅規制板の配設位置を変更せずに、通路幅規制板から出没自在に形成されたフラッパ部材によって通路幅を調節する手段も知られているが、当該フラッパを突出自在に構成するためのピン部材やリンク機構を備え、複雑な構造となっていることが多い。
【０００４】
以下、代表的な商品搬出装置と簡易な構成の通路幅規制板について図示例に基づいて説明する。ここで、図１０は、従来の通路幅規制板と商品搬出装置とによる販売待機状態を示す側面図である。
【０００５】
商品搬出装置１は、基板２の開口部２ａに回動自在に軸支され、当該開口部２ａから商品搬出通路６側に突出することにより下から１番目の商品Ｇ１を保持する下ペダル４と、基板２の開口部２ａに下ペダル４の上方に隣接して回動自在に軸支され、当該開口部２ａから商品搬出通路６側に突出することにより下から２番目の商品Ｇ２を保持する上ペダル３とを備えている。
【０００６】
なお、売切検知アクチュエータ５は、基板２の開口部２ｂから商品搬出通路６側に付勢突出され、商品による押圧力の解除を検知して、商品の売り切れを検知するためのものである。また、通路幅規制板１１０は、商品搬出通路６の幅を高さ方向に一定とするために平坦状に形成され、ピン１１１によって図示しないラック側板に架設されている。
【０００７】
【発明が解決しようとする課題】
しかしながら、以上のような構成では、販売対象商品が、瓶入りのいわゆるドリンク剤のような小径商品（たとえば、瓶外径が３５ｍｍ、内容量が５０ｍｌ程度のもの）になると、本来、上ペダル３が破線で示す位置に突出すべきところ、商品Ｇ２が上ペダル３側に近接し過ぎて当該上ペダル３の回動スペースが確保できず、実線で示すように商品Ｇ２と干渉し合って引っかかり、商品詰まりが起こる場合があった。
【０００８】
そこでこれに対処すべく、本願出願人は、図１１に示すように、商品Ｇ２が上ペダル３の突出位置から若干遠ざかるような商品搬出通路６を形成するために、傾斜段部１０ａを備えた通路幅規制板１０を提供するに至った。なお、この通路幅規制板１０は、ピン１１によって図示しないラック側板に架設されている。ここで、図１１は、傾斜段部を備えた通路幅規制板と商品搬出装置とによる販売待機状態を示す側面図である。
【０００９】
しかしながら、同図中の破線で示すように、商品Ｇ２が基板２側に当接した状態となるのを完全には排除しきれず、上ペダル３が商品Ｇ２と干渉し合って引っかかり、商品詰まりが起こってしまう場合があり、その解決手段の提供が望まれていた。
【００１０】
この発明は、上記に鑑みてなされたものであって、小径商品の販売時であっても、商品搬出装置の上ペダルの回動スペースを容易に確保でき、商品詰まりを確実に防止できる自動販売機の商品搬出通路幅調節装置を提供することを目的とする。
【００１１】
【課題を解決するための手段】
上述の目的を達成するために、この発明の請求項１にかかる自動販売機の商品搬出通路幅調節装置は、商品収納ラックの商品搬出通路下端部に配設された基板と、前記基板の開口部から突出自在に形成され、前記商品搬出通路内に収納された下から１番目の商品を保持する下ペダルと、前記基板の開口部から突出自在に形成され、前記商品搬出通路内に収納された下から２番目の商品を保持する上ペダルと、前記基板の開口部から前記商品搬出通路側に突出するよう付勢された売切検知アクチュエータとからなる商品搬出装置と、前記商品搬出装置と対向して配置され、商品径に応じて前記商品搬出通路幅を調節する通路幅規制板と、を備えた自動販売機の商品搬出通路幅調節装置において、前記通路幅規制板には、前記商品搬出通路内に収納された下から２番目の商品を前記上ペダルから遠ざけるように当該商品搬出通路幅を規制する傾斜段部を設け、前記商品搬出装置には、前記通路幅規制板の傾斜段部側に前記下から２番目の商品を案内し前記上ペダルの回動スペースを確保する傾斜段部を有した商品位置規制スペーサを着脱自在に設け、前記商品位置規制スペーサは前記売切検知アクチュエータを商品搬出通路側に突出させるとともに前記売切検知アクチュエータと当接して当該売切検知アクチュエータが後退するのを防止するブリッジ部を有する開口部を形成してなることを特徴とする。
【００１２】
商品位置規制スペーサにより、下から２番目の商品を通路幅規制板の傾斜段部側に寄せることができるので、小径商品の販売時であっても、商品搬出装置の上ペダルの回動スペースを容易に確保でき、商品詰まりを確実に防止できる。また、商品位置規制スペーサは、商品搬出装置に着脱自在に設けられているので、これを取り外せば、小径商品以外の商品の搬出時にも使用でき、販売対象商品の範囲を拡大することができる。
【００１３】
また、この発明の請求項２にかかる自動販売機の商品搬出通路幅調節装置は、商品位置規制スペーサは、商品搬出装置の基板に設けた係止溝に係止される係止爪を下端部に備え、前記基板の上面にねじ止めされる係止片を上端部に備えたものである。
【００１４】
商品位置規制スペーサを商品搬出装置の基板に取り付ける際には、係止爪を基板の係止溝に引っかけて、係止片をねじで固定すればよく、容易に組み立てることができる。
【００１５】
また、この発明の請求項３にかかる自動販売機の商品搬出通路幅調節装置は、商品位置規制スペーサは、商品搬出装置の基板に設けた係止溝に係止される係止爪を下端部に備え、ラック側板に架設されたピンに係止する係止爪を上端部に備えたものである。
【００１６】
商品位置規制スペーサを商品搬出装置の基板に取り付ける際には、下端部に設けた係止爪を基板の係止溝に係止し、上端部に設けた係止爪をラック側板に架設されたピンに引っかければよく、容易に組み立てることができる。
【００１７】
【発明の実施の形態】
以下、この発明にかかる自動販売機の商品搬出通路幅調節装置の実施の形態につき図面を参照しつつ詳細に説明する。なお、この実施の形態によりこの発明が限定されるものではない。
【００１８】
図１は、この発明の実施の形態にかかる商品位置規制スペーサの使用状態を示す側面図、図２は、商品位置規制スペーサを示す正面図、図３は、商品位置規制スペーサを示す側面図、図４は、商品位置規制スペーサを示す平面図、図５は、図２に示した商品位置規制スペーサにおけるＡ−Ａ断面を示す断面図である。
【００１９】
また、図６は、商品搬出装置の基板を示す背面図、図７は、商品搬出装置の基板を示す平面図、図８は、商品搬出装置の基板に商品位置規制スペーサを組み付けた状態を示す正面図である。なお、以下の説明において、すでに説明した部材と同一もしくは相当する部材には、同一の符号を付して重複説明を省略または簡略化する。
【００２０】
図１に示すように、本発明は、商品Ｇ２を通路幅規制板１０の傾斜段部１０ａ側に寄せて上ペダル３の回動スペース１４を確保するために、上ペダル３上方の基板２に傾斜段部１２ａを有した商品位置規制スペーサ１２を着脱自在に設けたものである。
【００２１】
この商品位置規制スペーサ１２について図１〜図８に基づいてさらに詳しく説明する。商品位置規制スペーサ１２は、通路幅規制板１０の傾斜段部１０ａとともにほぼ平行な通路を形成するように、前方に突出させた傾斜段部１２ａを備えている。係止片１２ｂは、基板２の上面にねじ１３によって固定されるようになっており、ねじ１３を挿通する穴１２ｊを設けてある（図１、図４、図８参照）。そして、基板２には、これと対応するねじ穴２ｄが設けてある（図７参照）。
【００２２】
側板部１２ｃは、基板２と当接し、商品荷重を受けたときに傾斜段部１２ａが変形しないように補強するものである。底板部１２ｄも基板２と当接するようになっている。また、底板部１２ｄには、基板２の係止溝２ｃ（図６参照）に引っかけて係止するための係止爪１２ｅが突設してある。
【００２３】
開口部１２ｆは、商品搬出装置１の売切検知アクチュエータ５が突出できるように形成してあり、ブリッジ部１２ｇを設けて売切検知アクチュエータ５が後退し過ぎるのを防止し、当該箇所に商品が詰まるのを防止している。なお、開口部１２ｆの両側には、角穴１２ｈが設けられている。
【００２４】
以上のように、この実施の形態にかかる商品位置規制スペーサ１２によれば、図１に示すように、小径の商品Ｇ２を通路幅規制板１０の傾斜段部１０ａ側に寄せることができるので、上ペダル３の回動スペース１４を確保することができ、商品詰まりを確実に防止できる。
【００２５】
また、商品位置規制スペーサ１２を基板２に取り付ける際には、係止爪１２ｅを基板２の係止溝２ｃに引っかけて、係止片１２ｂをねじ１３で固定すればよく、容易に組み立てることができる。さらに、商品搬出装置１から商品位置規制スペーサ１２を取り外せば、小径商品以外の商品の搬出にも使用できるので、販売対象商品の範囲を拡大することができる。
【００２６】
なお、上記実施の形態においては、商品位置規制スペーサ１２の配設を、係止片１２ｂを基板２上面にねじ１３によって固定するものとして説明したが、これに限定されない。たとえば、図９に示すように、商品位置規制スペーサ１２の上端部に逆Ｕ字状の係止爪１２ｋを設け、図示しないラック側板に架設したピン１５に引っかけることによって配設してもよい。ここで、図９は、他の商品位置規制スペーサの使用状態を示す側面図である。
【００２７】
【発明の効果】
以上説明したように、この発明にかかる自動販売機の商品搬出通路幅調節装置（請求項１）によれば、商品収納ラックの商品搬出通路下端部に配設された基板と、前記基板の開口部から突出自在に形成され、前記商品搬出通路内に収納された下から１番目の商品を保持する下ペダルと、前記基板の開口部から突出自在に形成され、前記商品搬出通路内に収納された下から２番目の商品を保持する上ペダルとからなる商品搬出装置と、前記商品搬出装置と対向して配置され、商品径に応じて前記商品搬出通路幅を調節する通路幅規制板とを備えた自動販売機の商品搬出通路幅調節装置において、前記通路幅規制板には、前記商品搬出通路内に収納された下から２番目の商品を前記上ペダルから遠ざけるように当該商品搬出通路幅を規制する傾斜段部を設け、前記商品搬出装置には、前記通路幅規制板の傾斜段部側に前記下から２番目の商品を案内し前記上ペダルの回動スペースを確保する傾斜段部を有した商品位置規制スペーサを着脱自在に設けたので、商品位置規制スペーサにより、下から２番目の商品を通路幅規制板の傾斜段部側に寄せることができ、小径商品の販売時であっても、商品搬出装置の上ペダルの回動スペースを容易に確保して商品詰まりを確実に防止できる。また、商品位置規制スペーサは、商品搬出装置に着脱自在に設けられているので、これを取り外せば、小径商品以外の商品の搬出時にも使用でき、販売対象商品の範囲を拡大することができる。
【００２８】
また、この発明にかかる自動販売機の商品搬出通路幅調節装置（請求項２）によれば、商品位置規制スペーサは、商品搬出装置の基板に設けた係止溝に係止される係止爪を下端部に備え、前記基板の上面にねじ止めされる係止片を上端部に備えたので、商品位置規制スペーサを商品搬出装置の基板に取り付ける際には、係止爪を基板の係止溝に引っかけて、係止片をねじで固定すればよく、容易に組み立てることができる。
【００２９】
また、この発明にかかる自動販売機の商品搬出通路幅調節装置（請求項３）によれば、商品位置規制スペーサは、商品搬出装置の基板に設けた係止溝に係止される係止爪を下端部に備え、ラック側板に架設されたピンに係止する係止爪を上端部に備えたので、商品位置規制スペーサを商品搬出装置の基板に取り付ける際には、下端部に設けた係止爪を基板の係止溝に係止し、上端部に設けた係止爪をラック側板に架設されたピンに引っかければよく、容易に組み立てることができる。
【図面の簡単な説明】
【図１】この発明の実施の形態にかかる商品位置規制スペーサの使用状態を示す側面図である。
【図２】商品位置規制スペーサを示す正面図である。
【図３】商品位置規制スペーサを示す側面図である。
【図４】商品位置規制スペーサを示す平面図である。
【図５】図２に示した商品位置規制スペーサにおけるＡ−Ａ断面を示す断面図である。
【図６】商品搬出装置の基板を示す背面図である。
【図７】商品搬出装置の基板を示す平面図である。
【図８】商品搬出装置の基板に商品位置規制スペーサを組み付けた状態を示す正面図である。
【図９】他の商品位置規制スペーサの使用状態を示す側面図である。
【図１０】従来の通路幅規制板と商品搬出装置とによる販売待機状態を示す側面図である。
【図１１】傾斜段部を備えた通路幅規制板と商品搬出装置とによる販売待機状態を示す側面図である。
【符号の説明】
１  商品搬出装置
２  基板
２ａ、２ｂ  開口部
２ｃ  係止溝
２ｄ  ねじ穴
３  上ペダル
４  下ペダル
５  売切検知アクチュエータ
６  商品搬出通路
Ｇ１、Ｇ２  商品
１０  通路幅規制板
１０ａ  傾斜段部
１１  ピン
１２  商品位置規制スペーサ
１２ａ  傾斜段部
１２ｂ  係止片
１２ｃ  側板部
１２ｄ  底板部
１２ｅ  係止爪
１２ｆ  開口部
１２ｇ  ブリッジ部
１２ｈ  角穴
１２ｊ  穴
１２ｋ  係止爪
１３  ねじ
１４  回動スペース
１５  ピン
【図１】
0004442033.tif 000002
【図２】
0004442033.tif 000003
【図３】
0004442033.tif 000004
【図４】
0004442033.tif 000005
【図５】
0004442033.tif 000006
【図６】
0004442033.tif 000007
【図７】
0004442033.tif 000008
【図８】
0004442033.tif 000009
【図９】
0004442033.tif 000010
【図１０】
0004442033.tif 000011
【図１１】
0004442033.tif 000012